【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
所定の方向に延伸配置された第１の走査線及び第２の走査線と、
前記第１の走査線及び前記第２の走査線に対して交差するように配置された第１の信号線と、
前記第１の信号線に、一端が前記第１の走査線に接続された第１のスイッチング素子を介して接続され、該接続されている第１の信号線に供給される階調信号が印加される第１の画素電極と、
前記第１の画素電極に、前記第２の走査線に一端が接続された第２のスイッチング素子を介して接続され、前記第１の画素電極を介して前記階調信号が印加される第２の画素電極と、
を備えたことを特徴とする表示装置。
【請求項２】
前記第２の画素電極に保持させる階調信号を前記第１の信号線に供給した後に、前記第１の画素電極に保持させる階調信号を前記第１の信号線に供給する信号側駆動回路と、
前記信号側駆動回路により前記第１の信号線に前記第２の画素電極に保持させる階調信号が供給されているときに、前記第１の走査線に前記第１のスイッチング素子をオン状態にする走査信号を供給するとともに前記第２の走査線に前記第２のスイッチング素子をオン状態にする走査信号を供給し、
前記第１の画素電極に保持させる階調信号が供給されているときに前記第１の走査線に前記第１のスイッチング素子をオン状態にする走査信号を供給するとともに前記第２の走査線に前記第２のスイッチング素子をオフ状態にする走査信号を供給する走査側駆動回路と、
をさらに備えたことを特徴とする請求項１に記載の表示装置。
【請求項３】
前記第１の画素電極と前記第２の画素電極は、前記第１の走査線または前記第２の走査線の延伸方向に沿って隣接配置されていることを特徴とする請求項２に記載の表示装置。
【請求項４】
前記第１の画素電極と前記第２の画素電極は、前記第１の走査線と前記第２の走査線との間に配置されていることを特徴とする請求項３に記載の表示装置。
【請求項５】
前記第１の画素電極と前記第２の画素電極は、前記第１の走査線を挟んで互いに異なる方向に配置されていることを特徴とする請求項１又は２に記載の表示装置。
【請求項６】
前記第１の走査線と前記第２の走査線との間に前記第２の画素電極が配置されていることを特徴とする請求項５に記載の表示装置。
【請求項７】
前記第１の画素電極と前記第２の画素電極は、前記第１の信号線に対して何れか一方の側に配置されていることを特徴とする請求項１から６の何れかに記載の表示装置。
【請求項８】
前記第１の信号線と平行するように配置された第２の信号線と、
前記第２の信号線に、一端が前記第２の走査線に接続された第３のスイッチング素子を介して接続され、該接続されている第２の信号線に供給される階調信号が印加される第３の画素電極と、
をさらに備えたことを特徴とする請求項１から７の何れかに記載の表示装置。
【請求項９】
前記第１の画素電極は、赤色表示のための表示画素と青色表示のための表示画素の何れか一方に対応し、
前記第２の画素電極は、赤色表示のための表示画素と青色表示のための表示画素の何れか他方に対応し、
前記第３の画素電極は、緑色表示のための表示画素に対応していることを特徴とする請求項８に記載の表示装置。
【請求項１０】
前記第３の画素電極は、前記第１の信号線と前記第２の信号線との間に配置されていることを特徴とする請求項８又は９に記載の表示装置。
【請求項１１】
走査線と信号線との交点に対応させて配置された第１の画素電極と、
前記信号線に供給される階調信号が前記第１の画素電極を介して印加される第２の画素電極と、
を備え、
前記第１の画素電極は、該第１の画素電極が対応する交点において前記信号線に交差する走査線に対して接続された第１のスイッチング素子を介して前記第２の画素電極に接続されるとともに、前記第１のスイッチング素子が接続された走査線とは異なる走査線に対して接続された第２のスイッチング素子を介して前記信号線に接続されていることを特徴とする表示装置。
【請求項１２】
前記第２の画素電極に保持させる階調信号を前記信号線に供給した後に、前記第１の画素電極に保持させる階調信号を前記信号線に供給する信号側駆動回路と、
前記信号側駆動回路により前記第１の信号線に前記第２の画素電極に保持させる階調信号が供給されているときに、前記第１のスイッチング素子をオン状態にする走査信号を前記第１のスイッチング素子が接続されている前記走査線に供給するとともに前記第２のスイッチング素子をオン状態にする走査信号を前記第２のスイッチング素子が接続されている前記走査線に供給し、
前記第１の画素電極に保持させる階調信号が供給されているときに、前記第１のスイッチング素子をオフ状態にする走査信号を前記第１のスイッチング素子が接続されている前記走査線に供給するとともに前記第２のスイッチング素子をオン状態にする走査信号を前記第２のスイッチング素子が接続されている前記走査線に供給する走査側駆動回路と、
をさらに備えたことを特徴とする請求項１１に記載の表示装置。
【請求項１３】
走査線と信号線との交点に対応させて配置された第１の画素電極と、
前記信号線に供給される階調信号が前記第１の画素電極を介して印加される第２の画素電極と、
を備え、
前記第１の画素電極は、該第１の画素電極が対応する交点において前記信号線に交差する走査線に対して接続された第１のスイッチング素子を介して前記信号線に接続されているとともに、前記第１のスイッチング素子が接続された走査線とは異なる走査線に対して接続された第２のスイッチング素子を介して前記第２の画素電極に接続されていることを特徴とする表示装置。
【請求項１４】
前記第２の画素電極に保持させる階調信号を前記信号線に供給した後に、前記第１の画素電極に保持させる階調信号を前記信号線に供給する信号側駆動回路と、
前記信号側駆動回路により前記第１の信号線に前記第２の画素電極に保持させる階調信号が供給されているときに、前記第１のスイッチング素子をオン状態にする走査信号を前記第１のスイッチング素子が接続されている前記走査線に供給するとともに前記第２のスイッチング素子をオン状態にする走査信号を前記第２のスイッチング素子が接続されている前記走査線に供給し、
前記第１の画素電極に保持させる階調信号が供給されているときに、前記第１のスイッチング素子をオン状態にする走査信号を前記第１のスイッチング素子が接続されている前記走査線に供給するとともに前記第２のスイッチング素子をオフ状態にする走査信号を前記第２のスイッチング素子が接続されている前記走査線に供給する走査側駆動回路と、
をさらに備えたことを特徴とする請求項１３に記載の表示装置。
【請求項１５】
１本の信号線に対して２つの画素列を割り当てた表示装置であって、
一方の画素列における所定の画素電極と他方の画素列における所定の画素電極との間を導通または非導通に制御する第１の導通制御手段と、
前記信号線と前記一方の画素列における所定の画素電極との間を導通または非導通に制御する第２の導通制御手段と、
所定の期間において、前記第１の導通制御手段により前記一方の画素列における所定の画素電極と前記他方の画素列における所定の画素電極との間が導通にされたときに前記信号線に前記一方の画素列に対応する階調信号を供給し、非導通にされたときに前記信号線に前記他方の画素列に対応する階調信号を供給する階調信号供給手段と、
を備えたことを特徴とする表示装置。
【請求項１６】
前記一方の画素列における所定の画素電極と前記他方の画素列における所定の画素電極とは、同一の画素行として配置されていることを特徴とする請求項１５に記載の表示装置。
【請求項１７】
前記一方の画素列における所定の画素電極と前記他方の画素列における所定の画素電極とは、異なる画素行として配置されていることを特徴とする請求項１５に記載の表示装置。
【請求項１８】
第１の画素電極に第１の階調信号を書き込むとともに、前記第１の画素電極を介して第２の画素電極に前記第１の階調信号を書き込む第１書込ステップと、
前記第１書込ステップにより書き込まれた第１の階調信号が前記第２の画素電極に保持された状態で、前記第１の画素電極と前記第２の画素電極との間を非導通状態にする非導通ステップと、
前記非導通ステップにより前記第１の画素電極と前記第２の画素電極との間が非導通状態とされたときに前記第１の画素電極に前記第２の階調信号を書き込む第２書込ステップと、
を有することを特徴とする表示駆動方法。
【請求項１９】
１本の信号線に対して２つの画素列を割り当てた表示装置の表示駆動方法であって、
一方の画素列における所定の画素電極と他方の画素列における所定の画素電極との間を導通または非導通に制御する第１の導通制御ステップと、
前記信号線と前記一方の画素列における所定の画素電極との間を導通または非導通に制御する第２の導通制御ステップと、
前記第１の導通制御ステップにより前記一方の画素列における所定の画素電極と前記他方の画素列における所定の画素電極との間が導通にされたときに前記信号線に前記一方の画素列に対応する階調信号を供給し、非導通にされたときに前記信号線に前記他方の画素列に対応する階調信号を供給する階調信号供給ステップと、
を有することを特徴とする表示駆動方法。
【請求項２０】
１本の信号線に対して２つの画素列を割り当てた表示装置の表示駆動方法であって、
前記信号線に供給される一方の画素行に対応した階調信号を前記一方の画素行における画素電極と他方の画素行における画素電極とに同時に印加してから前記一方の画素行における画素電極と前記他方の画素行における画素電極とを非導通とし、その後に前記信号線に供給される他方の画素行に対応した階調信号を前記他方の画素行における画素電極に印加する表示駆動方法。
【請求項２１】
所定の方向に延伸配置された第１の走査線及び第２の走査線と、
前記第１の走査線及び前記第２の走査線に対して交差するように配置された第１の信号線と、
前記第１の信号線に、一端が前記第１の走査線に接続された第１のスイッチング素子を介して接続され、該接続されている第１の信号線に供給される階調信号が印加される第１の画素電極と、
前記第１の画素電極に、前記第２の走査線に一端が接続された第２のスイッチング素子を介して接続され、前記第１の画素電極を介して前記階調信号が印加される第２の画素電極と、
を備えた表示装置の表示駆動方法であって、
前記第２の画素電極に保持させる階調信号を前記第１の信号線に供給した後に、前記第１の画素電極に保持させる階調信号を前記第１の信号線に供給し、
前記第１の信号線に前記第２の画素電極に保持させる階調信号が供給されているときに前記第１の走査線に前記第１のスイッチング素子をオン状態にする走査信号を供給するとともに前記第２の走査線に前記第２のスイッチング素子をオン状態にする走査信号を供給し、前記第１の画素電極に保持させる階調信号が供給されているときに前記第１の走査線に前記第１のスイッチング素子をオン状態にする走査信号を供給するとともに前記第２の走査線に前記第２のスイッチング素子をオフ状態にする走査信号を供給することを特徴とする表示駆動方法。
【手続補正２】
【補正対象書類名】明細書
【補正対象項目名】０００６
【補正方法】変更
【補正の内容】
【０００６】
上記の目的を達成するために、本発明の第１の態様の表示装置は、所定の方向に延伸配置された第１の走査線及び第２の走査線と、前記第１の走査線及び前記第２の走査線に対して交差するように配置された第１の信号線と、前記第１の信号線に、一端が前記第１の走査線に接続された第１のスイッチング素子を介して接続され、該接続されている第１の信号線に供給される階調信号が印加される第１の画素電極と、前記第１の画素電極に、前記第２の走査線に一端が接続された第２のスイッチング素子を介して接続され、前記第１の画素電極を介して前記階調信号が印加される第２の画素電極と、を備えたことを特徴とする。
また、本発明の第２の態様の表示装置は、走査線と信号線との交点に対応させて配置された第１の画素電極と、前記信号線に供給される階調信号が前記第１の画素電極を介して印加される第２の画素電極と、を備え、前記第１の画素電極は、該第１の画素電極が対応する交点において前記信号線に交差する走査線に対して接続された第１のスイッチング素子を介して前記第２の画素電極に接続されるとともに、前記第１のスイッチング素子が接続された走査線とは異なる走査線に対して接続された第２のスイッチング素子を介して前記信号線に接続されていることを特徴とする。
また、本発明の第３の態様の表示装置は、走査線と信号線との交点に対応させて配置された第１の画素電極と、前記信号線に供給される階調信号が前記第１の画素電極を介して印加される第２の画素電極と、を備え、前記第１の画素電極は、該第１の画素電極が対応する交点において前記信号線に交差する走査線に対して接続された第１のスイッチング素子を介して前記信号線に接続されているとともに、前記第１のスイッチング素子が接続された走査線とは異なる走査線に対して接続された第２のスイッチング素子を介して前記第２の画素電極に接続されていることを特徴とする。
また、本発明の第４の態様の表示装置は、１本の信号線に対して２つの画素列を割り当てた表示装置であって、一方の画素列における所定の画素電極と他方の画素列における所定の画素電極との間を導通または非導通に制御する第１の導通制御手段と、前記信号線と前記一方の画素列における所定の画素電極との間を導通または非導通に制御する第２の導通制御手段と、所定の期間において、前記第１の導通制御手段により前記一方の画素列における所定の画素電極と前記他方の画素列における所定の画素電極との間が導通にされたときに前記信号線に前記一方の画素列に対応する階調信号を供給し、非導通にされたときに前記信号線に前記他方の画素列に対応する階調信号を供給する階調信号供給手段と、を備えたことを特徴とする。
【手続補正３】
【補正対象書類名】明細書
【補正対象項目名】０００７
【補正方法】変更
【補正の内容】
【０００７】
また、本発明の第５の態様の表示駆動方法は、第１の画素電極に第１の階調信号を書き込むとともに、前記第１の画素電極を介して第２の画素電極に前記第１の階調信号を書き込む第１書込ステップと、前記第１書込ステップにより書き込まれた第１の階調信号が前記第２の画素電極に保持された状態で、前記第１の画素電極と前記第２の画素電極との間を非導通状態にする非導通ステップと、前記非導通ステップにより前記第１の画素電極と前記第２の画素電極との間が非導通状態とされたときに前記第１の画素電極に前記第２の階調信号を書き込む第２書込ステップと、を有することを特徴とする。
また、本発明の第６の態様の表示駆動方法は、１本の信号線に対して２つの画素列を割り当てた表示装置の表示駆動方法であって、一方の画素列における所定の画素電極と他方の画素列における所定の画素電極との間を導通または非導通に制御する第１の導通制御ステップと、前記信号線と前記一方の画素列における所定の画素電極との間を導通または非導通に制御する第２の導通制御ステップと、前記第１の導通制御ステップにより前記一方の画素列における所定の画素電極と前記他方の画素列における所定の画素電極との間が導通にされたときに前記信号線に前記一方の画素列に対応する階調信号を供給し、非導通にされたときに前記信号線に前記他方の画素列に対応する階調信号を供給する階調信号供給ステップと、を有することを特徴とする。
また、本発明の第７の態様の表示駆動方法は、１本の信号線に対して２つの画素列を割り当てた表示装置の表示駆動方法であって、前記信号線に供給される一方の画素行に対応した階調信号を前記一方の画素行における画素電極と他方の画素行における画素電極とに同時に印加してから前記一方の画素行における画素電極と前記他方の画素行における画素電極とを非導通とし、その後に前記信号線に供給される他方の画素行に対応した階調信号を前記他方の画素行における画素電極に印加する。
また、本発明の第８の態様の表示駆動方法は、所定の方向に延伸配置された第１の走査線及び第２の走査線と、前記第１の走査線及び前記第２の走査線に対して交差するように配置された第１の信号線と、前記第１の信号線に、一端が前記第１の走査線に接続された第１のスイッチング素子を介して接続され、該接続されている第１の信号線に供給される階調信号が印加される第１の画素電極と、前記第１の画素電極に、前記第２の走査線に一端が接続された第２のスイッチング素子を介して接続され、前記第１の画素電極を介して前記階調信号が印加される第２の画素電極と、を備えた表示装置の表示駆動方法であって、前記第２の画素電極に保持させる階調信号を前記第１の信号線に供給した後に、前記第１の画素電極に保持させる階調信号を前記第１の信号線に供給し、前記第１の信号線に前記第２の画素電極に保持させる階調信号が供給されているときに前記第１の走査線に前記第１のスイッチング素子をオン状態にする走査信号を供給するとともに前記第２の走査線に前記第２のスイッチング素子をオン状態にする走査信号を供給し、前記第１の画素電極に保持させる階調信号が供給されているときに前記第１の走査線に前記第１のスイッチング素子をオン状態にする走査信号を供給するとともに前記第２の走査線に前記第２のスイッチング素子をオフ状態にする走査信号を供給することを特徴とする。